(57)【要約】【課題】筐体に固定ねじを嵌める固定孔を設けなくとも、ユニットを電気電子機器収納用箱の筐体に取り付けることができるようにすること。【解決手段】開口部２１を備えた電気電子機器収納用箱の筐体と、開口部２１を覆うように取り付けられるユニット１と、開口部２１に挿入される押さえ板１７と、ユニット１と押さえ板１７とを筐体に締め付けるために用いられる固定ねじ１８と、を備えたユニット１の取付構造とする。【選択図】図５
2018190879.tif 000002
【特許請求の範囲】
【請求項１】
開口部を備えた電気電子機器収納用箱の筐体と、
開口部を覆うように取り付けられるユニットと、
開口部に挿入される押さえ板と、
ユニットと押さえ板とを筐体に締め付けるために用いられる固定ねじと、
を備えたユニットの取付構造。
【請求項２】
長尺状に形成された押さえ板を複数備え、
前記押さえ板は、開口部の端部に配置される請求項１記載のユニットの取付構造。
【請求項３】
ユニットと押さえ板に長孔状の取付孔を備えた請求項１又は２に記載のユニットの取付構造。
【請求項４】
長孔状の取付孔は、非直線状とした請求項３に記載のユニットの取付構造。
【請求項５】
ユニットと押さえ板に挿入されるガイドピンを備え、
取付孔は、押さえ板の長手方向に向けて伸びる孔部と、
押さえ板の長手方向に対して直交するように延びる孔部を有し、
ガイドピンが、押さえ板の長手方向に向けて伸びる孔部に収まるように配置したとき、
押さえ板の開口部側への移動を規制する請求項２から４の何れかに記載のユニットの取付構造。
【請求項６】
押さえ板は、締め付け固定時に開口部の二辺をまたぐように配置される請求項２から５の何れかに記載のユニットの取付構造。
【発明の詳細な説明】
【技術分野】
【０００１】
本発明は、ユニットの取付構造に関するものである。
【背景技術】
【０００２】
特許文献１に記載されているように、電気電子機器収納用箱の筐体の開口部にユニットを取り付けることが知られている。この際、筐体には開口部の周辺に固定孔を設け、この固定孔に嵌められる固定ねじとナットを用いてユニットを固定することが一般的である。
【先行技術文献】
【特許文献】
【０００３】
【特許文献１】特開２００３−１５２３７３号公報
【０００４】
ところで、筐体に固定ねじを嵌める固定孔を設けるには、板材などの加工が必要となるが、製造上の手間はできるだけ省くことが望ましい。
【発明の概要】
【発明が解決しようとする課題】
【０００５】
本件の発明者は、この点について鋭意検討するなかで本発明に想到した。本発明の課題は、筐体に固定ねじを嵌める固定孔を設けなくとも、ユニットを電気電子機器収納用箱の筐体に取り付けることができるようにすることである。
【課題を解決するための手段】
【０００６】
上記課題を解決するため、開口部を備えた電気電子機器収納用箱の筐体と、開口部を覆うように取り付けられるユニットと、開口部に挿入される押さえ板と、ユニットと押さえ板とを筐体に締め付けるために用いられる固定ねじと、を備えたユニットの取付構造とする。
【０００７】
また、長尺状に形成された押さえ板を複数備え、前記押さえ板は、開口部の端部に配置される構成とすることが好ましい。
【０００８】
また、ユニットと押さえ板に長孔状の取付孔を備えた構成とすることが好ましい。
【０００９】
また、長孔状の取付孔は、非直線状とすることが好ましい。
【００１０】
また、ユニットと押さえ板に挿入されるガイドピンを備え、取付孔は、押さえ板の長手方向に向けて伸びる孔部と、押さえ板の長手方向に対して直交するように延びる孔部を有し、ガイドピンが、押さえ板の長手方向に向けて伸びる孔部に収まるように配置したとき、押さえ板の開口部側への移動を規制する構成とすることが好ましい。
【００１１】
また、押さえ板は、締め付け固定時に開口部の二辺をまたぐように配置される構成とすることが好ましい。
【発明の効果】
【００１２】
本発明では、筐体に固定ねじを嵌める固定孔を設けなくとも、ユニットを電気電子機器収納用箱の筐体に取り付けることができるようにすることが可能となる。
【図面の簡単な説明】
【００１３】
【図１】実施形態の筐体とユニットの斜視図である。
【図２】実施形態のユニットの分解斜視図である。
【図３】図２とは異なる方向から見た実施形態のユニットの分解斜視図である。
【図４】ユニットを筐体に取り付けた状態を示した断面図である。
【図５】ユニットを取り付ける前の天井板とユニットの斜視図である。
【図６】ユニットを取り付ける前の天井板とユニットの側面図である。
【図７】ユニットを開口部に嵌め込んだ状態を示した斜視図である。
【図８】ユニットを開口部に嵌め込んだ状態を示した側面図である。
【図９】ユニットを開口部に嵌め込んだ状態を示した断面図である。
【図１０】ユニットを開口部に嵌め込んだ状態を下方から見た図である。
【図１１】ユニットを開口部に嵌め込んだ後に、押さえ板を移動させた状態を示した斜視図である。
【図１２】ユニットを開口部に嵌め込んだ後に、押さえ板を移動させた状態を示した側面図である。
【図１３】ユニットを開口部に嵌め込んだ後に、押さえ板を移動させた状態を示した断面図である。
【図１４】ユニットを開口部に嵌め込んだ後に、押さえ板を移動させた状態を下方から見た図である。
【図１５】ユニットを開口部に固定した状態を示した斜視図である。
【図１６】ユニットを開口部に固定した状態を示した側面図である。
【図１７】押さえ板が連結されたベース部をベース部側から見た斜視図である。
【図１８】押さえ板が連結されたベース部を押さえ板側から見た斜視図である。
【図１９】押さえ板の他の取付形態を示した斜視図である。
【発明を実施するための形態】
【００１４】
以下に発明を実施するための形態を示す。図１乃至図４に示されていることから理解されるように、本実施形態のユニット１の取付構造は、開口部２１を備えた電気電子機器収納用箱の筐体２と、開口部２１を覆うように取り付けられるユニット１と、開口部２１に挿入される押さえ板１７と、ユニット１と押さえ板１７とを筐体２に締め付けるために用いられる固定ねじ１８と、を備えている。このため、筐体２に固定ねじ１８を嵌める固定孔を設けなくとも、ユニット１を電気電子機器収納用箱の筐体２に取り付けることができる。
【００１５】
ユニット１は、筐体２内に搭載される電気機器の冷却を行う冷却装置や、換気を行う換気扇ユニットまたはフード部材などにすることができるが、以下ではユニット１を換気扇ユニットとした例について説明する。本実施形態の筐体２は、屋外等に設置されるキャビネットである。この筐体２の天井板２２に設けられた開口部２１に対して換気扇ユニットが着脱できるように構成されている。筐体２に取り付けられた換気扇ユニットは、強制的に、筐体２に空気の出入りをさせることができる。
【００１６】
換気扇ユニットは換気扇１２が固定されるベース部１３を備えている。本実施形態のベース部１３はケース状に構成された部材であり、通気口１４が備えられている。図４に示す例においては、通気口１４にフィルタ９１を取り付けており、筐体２内の汚損を抑制している。本実施形態では、通気口１４はベース部１３の中心から見て四方に位置するように設けられている。より具体的には、平面視略四角形状に構成されたベース部１３の四方の辺に沿って通気口１４が設けられている。この通気口１４を覆うようにフード１５が取り付けられている。このフード１５は、ベース部１３に対して着脱可能となるように構成されている。より具体的にはフード１５はベース部１３に対してねじ等を用いて固定されている。また、本実施形態のベース部１３の底部には換気扇１２が取り付けられる開口１６が備えられている。
【００１７】
図５及び図６に示すことから理解されるように、本実施形態のベース部１３の裏面側には押さえ板１７が設けられている。本実施形態の押さえ板１７は長尺形状に形成され四つ設けられており、筐体２の開口部２１端部の四辺を挟止することができるように配置されている。本実施形態では、押さえ板１７は、矩形状に構成された開口部２１の１辺の角部から中央までの長さよりも長く形成している。つまり、開口部２１の１辺の半分の長さよりも長い押さえ板１７を当該一辺に配置させている。また、各々の押さえ板１７は互いに開口部２１を構成する異なる辺に沿うように配置されている。更に、押さえ板１７は、開口部２１を通る中央線（図１０、または、図１４に示すＡ−Ａ）を基準として線対称とならないように配置されている。そして、本実施形態では、開口部２１の角部に隙間が生じるのを防止しつつ、角部から最も離れている中央部近傍も挟止できるように、押さえ板１７を配置させている。本実施形態の押さえ板１７は断面略コ字状となるように設けられており、固定ねじ１８の締め付け時に変形が生じることを抑制することができる。
【００１８】
ところで、ベース部１３を筐体２に取り付ける際、ベース部１３の開口１６と筐体２の開口部２１が向き合うように配置され、ベース部１３の底部と押さえ板１７との間に位置する筐体２の天井板２２を上下方向から挟みつけるようにして固定する。この際、ベース部１３と天井板２２の間にはパッキン３を介在させ、防水性を高めている。
【００１９】
図４に示すように、本実施形態のベース部１３には、天井板２２と当接することが可能な当接片６１が設けられている。この当接片６１はベース部１３の端部を折り曲げることで設けられており、ベース部１３の中心から見て四方に位置するように設けられている。本実施形態では、当接片６１より内側の空間にパッキン３を配置しているため、当接片６１はパッキン３の外周の部位を外気などから保護するように働く。また、押さえ板１７をある程度締め付けてパッキン３を押し潰し、天井板２２と当接片６１が当接した状態にすると、パッキン３の外周の部位が劣化することを抑制することができる。また、押さえ板１７をある程度締め付ければ、天井板２２と当接片６１が当接した状態となることから、必要以上にパッキン３を押し潰すことがない。パッキン３を押し潰し続けると弾性変形量が少なくなり、正確に防水できなくなる虞もあるが、当接片６１を設けることによりパッキン３を過度に押し潰すことを抑制することができる。
【００２０】
ところで、本実施形態においては、押さえ板１７を締め上げてユニット１と筐体２を固定する構造である。ユニット１の固定時には、図７乃至１０に示すように、先ず押さえ板１７を筐体２の内部に収める。この際、固定ねじ１８及びガイドピン１９は天井板２２の開口部２１の内側に位置している。次に、図１１乃至１４に示すように、押さえ板１７の一部が筐体２の開口部２１の辺に対向する位置まで、押さえ板１７を移動させる。その後、固定ねじ１８を用いて押さえ板１７を締め上げると、図４、図１５及び図１６に示すように、ベース部１３と押さえ板１７が筐体２の天井板２２をしっかりと挟み込むため、ユニット１が筐体２に固定される。
【００２１】
このように固定する構造のため、開口部２１の周縁にベース部１３の固定ねじ１８を挿入するための固定孔を設ける必要がなくなり、天井板２２の加工作業を削減できる。また、ベース部１３と天井板２２との間に配置されるパッキン３にもねじ通過用の孔部の加工をする必要がない。なお、ベース部１３の裏面と押さえ板１７で天井板２２とパッキン３を挟み込む際、固定ねじ１８を締めこむが、この際、ガイドピン１９は押さえ板１７が回動しないように機能する。
【００２２】
本実施形態では、ベース部１３を固定するために用いられる押さえ板１７が、長板状に設けられている。この押さえ板１７は、パッキン３の長手方向と同じ方向に延びるように配置することが可能である。このような構成であるため、ベース部１３が固定された状態において、押さえ板１７とベース部１３との間に位置するパッキン３に対して、力を広範囲にかけることが可能となり、防水の信頼性を向上させることができる。なお、本実施形態の押さえ板１７は、固定ねじ１８やガイドピン１９により、ベース部１３と連結された状態が保持されている。
【００２３】
本実施形態では押さえ板１７に取付孔４が設けられている。図１７及び図１８に示すように、本実施形態では取付孔４は非直線状の長孔となるように設けられている。この取付孔４にガイドピン１９が挿入され、ガイドピン１９と押さえ板１７が相対移動可能な状態で接続される。なお、本実施形態のガイドピン１９はベース部１３に固定されている。取付孔４に嵌められることにより押さえ板１７の移動範囲を規制するガイドピン１９を備えた構成とすれば、押さえ板１７の締め付け時に押さえ板１７が回動することが抑制できるため、ユニット１を適切に固定しやすくなる。本実施形態においては、ガイドピン１９の取付孔４は押さえ板１７に、固定ねじ１８の取付孔４はベース部１３に形成している。また、押さえ板１７とベース部１３に形成する取付孔４は同一形状で、左右方向に並べて形成しているため、押さえ板１７は水平に移動するように形成される。なお、このような取付孔４はベース部１３または抑え板１７の何れかに形成しておけば良い。
【００２４】
本実施形態ではベース部１３の底部に取付孔４が設けられている。本実施形態では取付孔４は非直線状の長孔となるように設けられている。この取付孔４に固定ねじ１８が挿入され、固定ねじ１８とベース部１３が相対移動可能な状態で接続される。なお、本実施形態の固定ねじ１８は押さえ板１７に固定されている。
【００２５】
長孔状の取付孔４を非直線状とし、ユニット１の固定作業時に、隣接する開口部２１の端部に略平行に延びる孔部４１にガイドピン１９や固定ねじ１８が嵌った状態とすれば、押さえ板１７が開口部２１側に移動することが抑制され、開口部２１からユニット１の取付が容易となる。
【００２６】
このように、ユニット１と押さえ板１７の双方に長孔状の取付孔４を備えた構成とすることで、ユニット１の押さえ板１７を筐体２の開口部２１に挿入する際や、ユニット１を筐体２に固定する際に、押さえ板１７を適切に移動させることができる。なお、図１８に示すように、押さえ板１７の非直線状の取付孔４に対応する位置のユニット１には、ガイドピン１９が挿入される孔部が形成される。一方、ユニット１に形成した非直線状の取付孔４に対応する位置の押さえ板１７には固定ねじ１８が挿入される孔部が形成される。
【００２７】
ベース部１３に設けられた取付孔４は押さえ板１７に設けられた取付孔４に対応した形状とされており、押さえ板１７が移動する範囲を適切に規制している。本実施形態では、ベース部１３に設けられた取付孔４は押さえ板１７に設けられた取付孔４が同様な形状となっており、開口部２１に臨む位置に押さえ板１７を収納する状態と、押さえ板１７の一部が天井板２２の一部と重複する状態とを選択可能としている。
【００２８】
本実施形態の取付孔４は、押さえ板１７の長手方向に向けて伸びる孔部４１と、押さえ板１７の長手方向に対して直交するように延びる孔部４２を有するクランク状である。このような構成であるため、天井板２２の開口部２１に対して換気扇ユニットを取り付ける際に、押さえ板１７の長手方向に向けて伸びる孔部４１に固定ねじ１８及びガイドピン１９が収まるように配置しておけば、取り付け時の傾きにより、押さえ板１７が、その短手方向に移動することを抑制することができる。
【００２９】
本実施形態では、１枚の押さえ板１７が、締め付け固定時に開口部２１の二辺をまたぐように配置される。このようにすることで、開口部２１の１辺を挟止して固定するより換気扇ユニットを強固に固定することができる。また、押さえ板１７を開口部２１の二辺に臨むように配置すれば、固定ねじ１８による締め上げにより、押さえ板１７が斜め状態で保持されることを防止でき天井板２２と平行な状態で押さえ板１７を固定することができる。
【００３０】
本実施形態のベース部１３と押さえ板１７の挟止方法は、図５のように、複数の固定ねじ１８で固定する。この場合、ベース部１３に２つの取付孔４を形成し、押さえ板１７を２つの固定ねじで固定させる。ところで、天井板２２とベース部１３は段差が生じる可能性がある。その場合、２本の固定ねじ１８が離れすぎると、締め付け時に各々の固定ねじ１８が押さえ板１７を適切に保持することができず、押さえ板１７が動いてしまったり傾斜する場合がある。一方、複数の固定ねじ１８を図５のように隣接して配置すれば、押さえ板１７の移動や傾きを防止しつつ固定ねじ１８で固定できる。このため、本実施形態では、２本の固定ねじ１８が隣接する位置に配置されている。
【００３１】
なお、図５に示した例では、一枚の押さえ板１７に対して二本の固定ねじを備えた構成とし、筐体２に対してユニット１を強固に固定できるようにしたが、図１８に示すように、固定ねじは一本であっても良い。また、図１９に示す例においては、四角状に設けられた開口部２１の各辺に一対一で対応するように押さえ板１７を配置して固定しているが、このような構成であっても、ユニット１を電気電子機器収納用箱の筐体２に取り付けることができる。
【００３２】
以上、一つの実施形態を中心に説明してきたが、本発明は上記実施形態に限定されることはなく、各種の態様とすることが可能である。例えば、二本の固定ねじの間にガイドピンが位置する構成でも良い。
【００３３】
また、ユニットは天井板に取り付けられるものでなくても良い。例えば、側板に取り付けられるものとすることも可能である。
【符号の説明】
【００３４】
１  ユニット
２  筐体
４  取付孔
１７  押さえ板
１８  固定ねじ
１９  ガイドピン
２１  開口部
【図１】
2018190879.tif 000003
【図２】
2018190879.tif 000004
【図３】
2018190879.tif 000005
【図４】
2018190879.tif 000006
【図５】
2018190879.tif 000007
【図６】
2018190879.tif 000008
【図７】
2018190879.tif 000009
【図８】
2018190879.tif 000010
【図９】
2018190879.tif 000011
【図１０】
2018190879.tif 000012
【図１１】
2018190879.tif 000013
【図１２】
2018190879.tif 000014
【図１３】
2018190879.tif 000015
【図１４】
2018190879.tif 000016
【図１５】
2018190879.tif 000017
【図１６】
2018190879.tif 000018
【図１７】
2018190879.tif 000019
【図１８】
2018190879.tif 000020
【図１９】
2018190879.tif 000021